【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
立体的な感覚を生じさせる画像シーケンスを視認する方法であって、
一連の立体画像の組を生成するステップと、
前記立体画像の各組から計算することを含む、一連の単一画像を構成するステップであって、視認する画像が、色彩フィルタリングが適用される第１の画像と前記第１の色彩フィルタリングに対して相補的な色彩フィルタリングが適用される第２の画像とを加算混合することによって、重ね合わせたものであるステップと、
前記第１の色彩フィルタリングの色彩成分に応じた第１のフィルタと、前記第２の色彩フィルタリングの色彩成分に応じた第２のフィルタとを有し、前記フィルタのうちの少なくとも１つが他のフィルタの色彩成分のわずかな部分を透過させるようになっている眼鏡を介して視認される視認スクリーン上に表示するステップと、
を備える方法において、
前記一連の立体画像の組は、撮影カメラシステムと前景の被写体および最も遠い撮影コマの間の距離のうちの少なくとも１つの距離が変化する、撮影された状態の相違を表現しており、
かつ前記生成および／または構成するステップは、一連の単一画像を視認する前記観客が、それ以下ではゴーストイメージ効果が現れる相対的な参照距離に配置されたときに、前記フィルタリング眼鏡を装着した観客の認識閾値以下へとゴーストイメージ効果を最小化するために、前記一連の立体画像の組のそれぞれについて、立体視差、鮮明度、ぼやけおよび光コントラストにより形成されるパラメータのうちの少なくとも１つについての調整によるおよび／または計算による局部的および／または全体的な調整を更に含み、
前記相対的な参照距離は、前記シーケンスの全期間にわたって実質的に一定であり、
前記観測者は、いかなる測色学的な欠陥もない良好な視力を有していることを特徴とする方法。
【請求項２】
前記眼鏡のフィルタのうちの１つは、グリーンが優位な分光透過率のフィルタであり、かつ他のフィルタは、マゼンタが優位な分光透過率のフィルタであることを特徴とする請求項１に記載の方法。
【請求項３】
前記眼鏡のフィルタのうちの１つは、シアンが優位な分光透過率のフィルタであり、かつ他のフィルタは、レッドが優位な分光透過率のフィルタであることを特徴とする請求項１に記載の方法。
【請求項４】
前記眼鏡のフィルタの一方の６２０ナノメートル周辺または５２０ナノメートル周辺の領域における分光透過率は、他方のフィルタの同一領域におけるそれの５％乃至１８％であることを特徴とする請求項１乃至３のいずれか一項に記載の方法。
【請求項５】
前記フィルタは、それぞれ他のフィルタの色彩成分を小さな比率で透過させることを特徴とする請求項１乃至４のいずれか一項に記載の方法。
【請求項６】
前記眼鏡の各フィルタの分光透過率曲線が、図１、図２または図１３に対応していることを特徴とする請求項１に記載の方法。
【請求項７】
前記生成および／または構成ステップは、最大注目ポイントにおける立体的な視差をキャンセルするための局所的および／または全体的なコリメーション操作をさらに含んでいることを特徴とする請求項１乃至６のいずれか一項に記載の方法。
【請求項８】
前記生成ステップは、最大注目ポイントにおける立体的な視差をキャンセルするための収束の調整をさらに含んでいることを特徴とする請求項１乃至７のいずれか一項に記載の方法。
【請求項９】
最大注目ポイントを決定するために、少なくとも一人の観客の一瞥を追従することによる計測を行うことを特徴とする請求項１乃至１１のいずれか一項に記載の方法。
【請求項１０】
前記生成および／または構成ステップは、閾値を上回る立体視差の領域をぼやけさせることからなる画像の局所的な処理および／または被写界深度を調整することをさらに含むことを特徴とする請求項１乃至９のいずれか一項に記載の方法。
【請求項１１】
前記生成および／または構成ステップは、閾値を上回る立体視差領域において、光コントラストを修正することからなる画像の局所的な処理をさらに含むことを特徴とする請求項１乃至１０のいずれか一項に記載の方法。
【請求項１２】
前記生成ステップは、一連の２次元画像を３次元押し出し操作によって、立体画像の組に変換することをさらに含むことを特徴とする請求項１に記載の方法。
【請求項１３】
前記生成および／または構成ステップは、立体画像の組から、その最大立体視差がオリジナルの組の最大立体視差より小さい画像の新規な組を計算すること含むことを特徴とする請求項１乃至１２のいずれか一項に記載の方法。
【請求項１４】
前記生成および／または構成ステップは、鮮明な領域内に閾値を下回る立体視差を得るために、立体視差を減少させることからなる画像処理をさらに含んでいることを特徴とする請求項１乃至１３のいずれか一項に記載の方法。
【請求項１５】
前記生成ステップは、鮮明な領域において、閾値を下回る立体視差へと最小化するために、立体ベースを調整することをさらに含んでいることを特徴とする請求項１乃至１４のいずれか一項に記載の方法。
【請求項１６】
前記生成および／または構成ステップは、立体視差、鮮明度、ぼやけおよび光のコントラストにより形成されるパラメータのうちの少なくとも１つを、撮影カメラシステムと前景の被写体および映画化された場面のうち最も遠い撮影との間の距離のうちの少なくとも１つの距離の変化に応じて、局所的におよび／または全体的に、人間のオペレータが介在することなく修正する、コンピューターシステムによりロードされて実行されるコンピュータープログラムにより実行されることを特徴とする請求項１乃至１５のいずれか一項に記載の方法。
【請求項１７】
前記画像は、コンピューターシステムによりロードされて実行される、対話型の合成画像および／またはコンピュータプログラムにより生成されたビデオゲーム画像であることを特徴とする請求項１乃至１６のいずれか一項に記載の方法。
【請求項１８】
コンピュータシステムにロードされて実行されるコンピュータプログラムは、最終的な観察者および／または観客および／またはプレーヤーが、立体ベースおよび／または局所的なぼやけおよび／または測色のパラメータ化の修正を可能とすることを特徴とする請求項１６または１７に記載の方法。
【請求項１９】
前記生成および／または構成ステップは、前記一連の単一画像を構成した後に、オリジナル画像の２次元バージョン上において、眼鏡なしに見える色の認識にできるだけ近い色の認識を、前記眼鏡によって再び見出すために非線形な測色学的な矯正をさらに含むことを特徴とする請求項１乃至１８のいずれか一項に記載の方法。
【請求項２０】
前記生成および／または構成ステップは、前記一連の単一画像を構成した後に、前記眼鏡によってより快適に見ることができるようにするために、彩度の減少および／または色調の修正および／または明度の修正を狙いとする、ある色の測色学的な矯正をさらに含むことを特徴とする請求項１乃至１９のいずれか一項に記載の方法。
【請求項２１】
前記画像シーケンスを記録する媒体および複数の眼鏡により形成されるとともに、前記眼鏡が、異なる相対的な参照距離および／または異なる測色学的な描写での前記画像シーケンスの観察を可能にする、異なるフィルタの組をそれぞれ有していることを特徴とする請求項１乃至２０の少なくともいずれか一項に記載の方法のための組立体。
【請求項２２】
請求項１乃至２０の少なくともいずれか一項に記載の方法により視認される一連の立体画像を観測するための眼鏡であって、
前記第１の色彩フィルタリングの色彩成分の機能の第１のフィルタと、前記第２色の色彩フィルタリングの色彩成分の機能の第２のフィルタとを備え、
前記フィルタの少なくとも一方が、他方のフィルタの色彩成分の小さい部分を透過することを特徴とする眼鏡。
【請求項２３】
前記眼鏡のフィルタの１つは、グリーンが優位な分光透過率を有し、かつ他のフィルタはマゼンタが優位な分光透過率のフィルタを有することを特徴とする請求項２２に記載の眼鏡。
【請求項２４】
前記眼鏡のフィルタの一方は、シアンが優位な分光透過率を有し、かつ他のフィルタは、レッドが優位な分光透過率を有することを特徴とする請求項２２に記載の眼鏡。
【請求項２５】
前記フィルタの一方の６２０ナノメートル周辺または５２０ナノメートル周辺の領域における分光透過率は、他方のフィルタの同一領域におけるそれの５％乃至１８％であることを特徴とする請求項２２に記載の眼鏡。
【請求項２６】
前記眼鏡の各フィルタの分光透過率曲線が、実質的に図１、図２または図１３に対応していることを特徴とする請求項２２に記載の眼鏡。
【請求項２７】
オンデマンドで画像シーケンスを伝送するための記録媒体および／または信号伝送および／またはサービスであって、請求項１乃至２０の少なくともいずれか１つに基づく方法で生成された画像シーケンスを含んでいることを特徴とする記録媒体および／または信号伝送および／またはサービス。
【請求項２８】
オンデマンドでコンピュータプログラムを伝送するための記録媒体および／または信号伝送および／またはサービスであって、
前記プログラムがコンピュータシステム上にロードされて実行されるときに、請求項１に記載の方法の適用を可能とする、コンピュータプログラムを含んでいることを特徴とする記録媒体および／または信号伝送および／またはサービス。
【請求項２９】
請求項１に記載の方法に基づいて映画館の客席に上映される一連の立体画像であって、  前記一連の立体画像は、優位な色の分光透過率を備えているフィルタを伴わない立体的な視認方法を用いる他の客席の場合よりも小さい最大立体視差または小さい被写界深度で、前記方法を用いて客席に上映されることを特徴とする一連の立体画像。
【請求項３０】
請求項１に記載の方法に基づいて、画像シーケンスをオンデマンドで伝送するために、記録媒体および／またはサービス上で上映される一連の立体画像であって、
前記一連の立体画像は、優位な色の分光透過率を備えているフィルタを伴わない立体的な視認方法を用いる他の客席の場合よりも小さい最大立体視差または小さい被写界深度で、前記媒体および／または前記伝送および／または前記サービス上で上映されることを特徴とする一連の立体画像。